(57)【特許請求の範囲】
【請求項１】
商品を上下方向に積み上げて収納する商品通路を形成する左右に対向した側板と、前記側板間に形成された前記商品通路の下端に商品を払い出す商品搬出装置と、前記商品搬出装置と対向して設けられる通路規制板と、商品投入口から前記商品通路の上端まで商品を案内する投入商品案内板と、前記投入商品案内板が係止可能に前記側板間に架設されるガイド棒を有するものにおいて、前記ガイド棒を円筒状の板材で形成し、両端面を外径方向に広げて前記ガイド棒の両端の径大部を加工形成し、前記ガイド棒を前記側板に設けた略Ｕ字形状溝に、前記略Ｕ字形状溝の内縁部を弾性変形させて挿入して、両端の前記径大部が前記側板の商品通路外に位置するよう取り付けたことを特徴とする自動販売機の商品収納装置。
【請求項２】
ガイド棒の両端の径大部と中央部径との間に商品通路側に向かって小さくなっていくテーパを設けたことを特徴とする請求項１に記載の自動販売機の商品収納装置。
【発明の詳細な説明】
【技術分野】
【０００１】
本発明は、缶、瓶商品またはＰＥＴ容器の商品を販売する自動販売機の商品収納装置に関するものである。
【背景技術】
【０００２】
従来、この種の自動販売機の商品収納装置は、本体内部にサーペンタイン式の商品通路が前後方向に複数列設けられており、その商品通路には、缶、瓶またはＰＥＴ容器などの商品が横になった状態で縦列に収納され、これらの商品は商品通路の下端に設けられた商品搬出装置によって、販売指令にもとづいて販売されるようになっている（例えば、特許文献１参照）。
【０００３】
図８は特許文献１に記載された従来の自動販売機の商品収納装置を示すものである。図９は特許文献１に記載された従来の自動販売機の商品収納装置の投入商品案内板部の斜視分解図である。
【０００４】
図８、図９に示すように、商品の側面を水平にして商品を上下方向に収納する商品通路１と、商品通路１を形成する左右に対向する２つの側板２と、側板２間に形成される商品通路１の下端に商品を１本ずつ払い出す商品搬出装置３と、商品通路１を挟んで通路規制板４と、商品通路１の上端に商品を入れる商品投入口５と、商品投入口５から入れられた商品を商品通路１に案内するために設けられた投入商品案内板６が配置されている。
【０００５】
投入商品案内板６を支持するガイド棒７の両端面にフランジ部８が形成され、側板２には挿通穴９に連通するスリット状の切り込み１０ａにより弾性変形部１０が形成され、弾性変形部１０からガイド棒７の両端のフランジ部８を挿入し、挿通穴９の商品通路１外にフランジ部８がくるように取り付けられる。
【０００６】
投入商品案内板６とガイド棒７の係合は、投入商品案内板６の平面に略平行に組み付けられるＬ字状の弾性部材１１と、弾性部材１１と対向する位置で弾性部材１１が係合するガイド棒７を受けるように投入商品案内板６に設けられる凹溝１２とで構成され、弾性部材１１の弾性力を利用して、凹溝１２内に嵌入固定される。
【０００７】
以上のように構成された自動販売機の収納装置について、以下その設定を説明する。
【０００８】
太い商品を収容する際は、投入商品案内板６の前方を持ち、側板２の挿通穴９内のガイド棒７を手前に移動し、投入商品案内板６の後端と商品通路１間の寸法を大きく設定する。また、細い商品を収容する際は、投入商品案内板６の前方を持ち、側板２の挿通穴９内のガイド棒７を奥に移動し、投入商品案内板６の後端と商品通路１間の寸法を小さく設定する。
【特許文献１】特開２００１−２３０２５号公報
【発明の開示】
【発明が解決しようとする課題】
【０００９】
しかしながら、上記従来の構成では、ガイド棒７の形成には使用材料が多く、かつ、両端のフランジ部８を加工後、表面にメッキ処理を施す必要があるなど材料・製造コストが高くかかっているという課題を有していた。
【００１０】
本発明は、上記従来の課題を解決するもので、ガイド棒を材料・製造コストを削減することができる構成の自動販売機の商品収納装置を提供することを目的とする。
【課題を解決するための手段】
【００１１】
上記従来の課題を解決するために、本発明の自動販売機の商品収納装置は、左右に対向した側板間に形成された商品通路において、商品投入口から商品通路の上端まで商品を案内する投入商品案内板と、投入商品案内板が係止可能に側板間に架設されるガイド棒を有
するものにおいて、ガイド棒を円筒状の板材で形成し、両端面を外径方向に広げてガイド棒の両端の径大部を加工形成し、ガイド棒を側板に設けた略Ｕ字形状溝に、略Ｕ字形状溝の内縁部を弾性変形させて挿入して、両端の径大部が側板の商品通路外に位置するよう取り付けたものである。
【００１２】
これによって、ガイド棒を円筒状の板材で形成することで、使用材料を減らすことができ、かつ順送プレス加工等により安価で製造が可能で、コスト削減ができる。また、設定動作途中に余分な引っ掛りなく設定動作がスムーズに実施できる。
【００１３】
また、ガイド棒の両端の径大部と中央部径との間に商品通路側に向かって小さくなっていくテーパを設けたことで、略Ｕ字形状溝端面に引っ掛ることなくスムーズに設定をすることができる。
【発明の効果】
【００１４】
本発明の自動販売機の商品収納装置によれば、ガイド棒を円筒状の板材で形成することで、使用材料を減らし、順送プレス加工等により安価で製造が可能で、コスト削減が図れる。また、設定動作途中に余分な引っ掛りなく設定動作がスムーズに実施できる。
【発明を実施するための最良の形態】
【００１５】
請求項１に記載の発明は、商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板と、商品投入口から前記商品通路の上端まで商品を案内する投入商品案内板と、前記投入商品案内板が係止可能に前記側板間に架設されるガイド棒を有するものにおいて、前記ガイド棒を円筒状の板材で形成し、両端面を外径方向に広げて前記ガイド棒の両端の径大部を加工形成し、前記ガイド棒を前記側板に設けた略Ｕ字形状溝に、前記略Ｕ字形状溝の内縁部を弾性変形させて挿入して、両端の前記径大部が前記側板の商品通路外に位置するよう取り付けたことにより、使用材料を減らし、順送プレス加工等により安価で製造が可能で、コスト削減ができる。また、設定動作途中に余分な引っ掛りなく設定動作がスムーズに実施できる。
【００１６】
請求項２に記載の発明は、ガイド棒の両端の径大部と中央部径との間に商品通路側に向かって小さくなっていくテーパを設けたことにより、使用材料を減らし、順送プレス加工等により安価で製造が可能で、コスト削減ができ、かつ、外れることなくスムーズに設定をすることができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における自動販売機の商品収納装置の斜視図である。図２は、同実施の形態における自動販売機の商品収納装置の投入商品案内板部構成の断面図である。図３は、同実施の形態における自動販売機の商品収納装置の投入商品案内板部構成の要部斜視分解図である。図４は、同実施の形態における自動販売機の商品収納装置の投入商品案内板部構成の要部下方斜視図である。図５は、同実施の形態における自動販売機の商品収納装置のガイド棒の略Ｕ字形状溝への取り付けの際の要部断面図である。図６は、同実施の形態における自動販売機の商品収納装置の投入商品案内板の取り付けの際の要部断面図である。図７は、同実施の形態における三角切起しの要部斜視図である。
【００１９】
図１から図７において、商品収納装置は、側板２間に上下方向に蛇行したサーペンタイン式の商品通路１を前後方向に複数列形成し、各商品通路１の下端には商品通路１を挟んで商品搬出装置３と通路規制板４が設けられている。
【００２０】
商品通路１の上方には、前方から商品を入れる商品投入口５と、商品投入口５から入れられた商品を商品通路１に案内するために商品通路１に向かって傾斜し、略側板２と密接するように上方に凸となるよう断面が略コの字曲げで形成される投入商品案内板６が配置されている。
【００２１】
投入商品案内板６は、商品通路１の上端前方の側板２間に略水平に設けたピン１３と、商品投入口５近傍の左右側板２に設けられた略Ｕ字形状溝１４内を移動可能に略水平に設けたガイド棒７の上に設置され、ピン１３上を前後移動可能で上方に外れないように投入商品案内板６の下方に略平行になるようＺ曲げ１５が設けられ、ガイド棒７を側板２に略密接するように商品投入口５から商品通路１に向いて設けたＬ字形状の切起し１６と左右Ｌ字形状の切起し１６間に設けた下方に商品通路１から商品投入口５にむけて凸形状が大きくなっていく三角切起し１７の間に嵌入固定されるように設けることで、略Ｕ字形状溝１４内をガイド棒７が移動し、前後に投入商品案内板６が設定できるよう構成される。
【００２２】
ガイド棒７は薄肉板を円筒状に加工形成したもので、さらに、長手方向の両端部を両端から略３ｍｍ程度の位置から外周方向に径が大きくなるように略６０°のテーパが付いた径大部７ａを形成し、左右側板２に設けられた略Ｕ字形状溝１４を弾性変形させながら、商品通路１側より挿入し、両端の径大部７ａが側板２の商品通路１外に位置するよう構成される。
【００２３】
以上のように構成された自動販売機の商品収納装置の投入商品案内板６について、以下その組立を説明する。
【００２４】
ガイド棒７は左右側板２に設けられた略Ｕ字形状溝１４の折返し部１４ａにガイド棒７の両端の径大部７ａを当接しながら略Ｕ字形状溝１４の内縁部１４ｂを弾性変形させ、商品通路１側より挿入し、両端の径大部７ａが側板２の商品通路１外に位置するよう取り付けられる。
【００２５】
投入商品案内板６はＺ曲げ１５内にピン１３が位置するように前方より挿入し、そして、ガイド棒７を三角切起し１７とＬ字形状の切起し１６に当接させながらさらに挿入していき、投入商品案内板６の平面部６ａの弾性変形を利用し、三角切起し１７を上方に撓ませて三角切起し１７とＬ字形状の切起し１６間に嵌入され組み付けられる。
【００２６】
また、以上のように構成された自動販売機の商品収納装置の投入商品案内板６について、以下その設定を説明する。
【００２７】
太い商品を収容する際は、投入商品案内板６の前方を持ち、側板２の略Ｕ字形状溝１４内のガイド棒７を手前に移動し、投入商品案内板６の後端と商品通路１間の寸法を大きく設定する。また、細い商品を収容する際は、投入商品案内板６の前方を持ち、側板２の略Ｕ字形状溝１４内のガイド棒７を奥に移動し、投入商品案内板６の後端と商品通路１間の寸法を小さく設定する。この設定において、略Ｕ字形状溝１４をガイド棒７の少し大きめの全長同一幅で設定動作途中に余分な引っ掛りなく構成したことで設定動作がスムーズに実施できる。
【００２８】
以上のように本実施の形態においては、ガイド棒７を円筒状の板材で形成し、ガイド棒７の両端面を外径方向に広げて大きく加工形成したもので構成したことにより、使用材料が削減でき、かつ、順送プレス加工等により安価で製造が可能で、コスト削減が図れる。
【００２９】
また、本実施の形態において、ガイド棒７の両端の径大部７ａと中央部径との間を商品通路１側に向かって小さくなっていく略６０°のテーパを設けたことにより、投入商品案内板６の設定の際に略Ｕ字形状溝１４の端面との引っ掛りがなくスムーズに設定できる。
【産業上の利用可能性】
【００３０】
以上のように本発明にかかる自動販売機の商品収納装置は多種類の缶飲料やペット飲料の自動販売機に対応でき商品収納装置の品質を向上させた自動販売機を提供できる。
【図面の簡単な説明】
【００３１】
【図１】本発明の実施の形態１における自動販売機の商品収納装置の斜視図
【図２】同実施の形態における自動販売機の商品収納装置の投入商品案内板部構成の断面図
【図３】同実施の形態における自動販売機の商品収納装置の投入商品案内板部構成の要部斜視分解図
【図４】同実施の形態における自動販売機の商品収納装置の投入商品案内板部構成の要部下方斜視図
【図５】同実施の形態における自動販売機の商品収納装置のガイド棒の略Ｕ字形状溝への取り付けの際の要部断面図
【図６】同実施の形態における自動販売機の商品収納装置の投入商品案内板の取り付けの際の要部断面図
【図７】同実施の形態における三角切起しの要部斜視図
【図８】従来の自動販売機の商品収納装置を示す図
【図９】従来の自動販売機の商品収納装置の投入商品案内板部の斜視分解図
【符号の説明】
【００３２】
１    商品通路
２    側板
３    商品搬出装置
４    通路規制板
５    商品投入口
６    投入商品案内板
７    ガイド棒
７ａ  径大部
【図１】
0005115081.tif 000002
【図２】
0005115081.tif 000003
【図３】
0005115081.tif 000004
【図４】
0005115081.tif 000005
【図５】
0005115081.tif 000006
【図６】
0005115081.tif 000007
【図７】
0005115081.tif 000008
【図８】
0005115081.tif 000009
【図９】
0005115081.tif 000010